(57)【特許請求の範囲】
【請求項１】
殻を含み、前記殻の中には作動空間が設けられ、前記作動空間の中には締め付き機構が設けられ、前記作動空間の下端壁の中には二つの吸気空間が左右対称に設けられ、前記吸気空間の中には密封機構が設けられ、前記吸気空間の中には排気機構が設けられ、前記作動空間の左右端壁の中には二つのエアバッグ空間が対称に設けられ、前記エアバッグ空間の中には充填機構が設けられ、前記締め付け機構は前記作動空間の前後端壁の中に左右対称に設置された四つのスライドレールを含み、前記スライドレールが前記作動空間に向いて開口しており、前記スライドレールの中にはスライドブロックがスライドできるように連結され、前記作動空間の中には密封ブロックが設けられ、前記密封ブロックの中には下方に開口した環状溝が形成され、前記環状溝の上端壁には環状ブロックが固定され、前記密封ブロックと前記スライドブロックとの間には固定ブロックが連結され、前記作動空間の中には膜袋が設けられ、前記膜袋の中には膜袋空間が設けられ、前記膜袋空間の中には前記殻の下端壁と固定的に連結されたスポンジが設けられ、前記スポンジの上端面に壊れやすい物を置くことができ、壊れやすい物を輸送あるいは保存する時、前記固定ブロックを緩め、前記密封ブロックを取り出し、そして前記膜袋を取り出し、壊れやすい物を前記スポンジに置き、前記膜袋を壊れやすい物の表面に置き、壊れやすい物を前記膜袋空間の中に置き、前記締め付け機構によって前記膜袋を締め付け、前記密封機構で密封し、前記排気機構によって前記膜袋空間の中の空気を排出し、前記膜袋が収縮し壊れやすい物を固定し、壊れやすい物が固定された後前記充填機構によって前記作動空間の残りの空間を充填し、固定した壊れやすい物を保護することを特徴とする壊れやすい物用収縮固定装置。
【請求項２】
前記締め付け機構は前記作動空間の下端壁と固定された環状密封ブロックを含み、前記環状密封ブロックの中には密封溝が設けられ、前記作動空間の下端壁の中には上方に開口した吸気溝が形成され、前記吸気溝の下側の左端壁にはＮ磁石が固定され、前記作動空間の下端壁の中には上端が前記密封溝と連通した圧力空間が設けられ、前記圧力空間の中には押しブロックが設けられ、前記押しブロックの下端面には前記圧力空間の下端壁と固定的に連結された第一バネが固定され、前記圧力空間の左端壁の中には前記吸気溝と前記圧力空間とに連通した移動溝が設けられ、前記移動溝の中の上下端壁には固定ブロックが固定され、前記移動溝の中には左端が前記固定ブロックを貫通したスライドブロックが設けられ、前記スライドブロックにおいて表裏両端には円柱ピンが対称に且つ回転できるように連結され、前記スライドブロックには前記移動溝の上端壁とスライドできるように連結された移動ブロックが固定され、前記移動ブロックの左端面には前記固定ブロックの右端面と固定的に連結された第二バネが固定され、前記スライドブロックの外端の前記円柱ピンにはプッシュブロックが固定され、前記スライドブロックの内端の前記円柱ピンには仕切りブロックが固定され、前記仕切りブロックの下端にはＳ磁石が固定されていることを特徴とする請求項１に記載の壊れやすい物用収縮固定装置。
【請求項３】
前記排気機構は前記吸気空間の上端壁の中に設置された排気空間を含み、前記排気空間が前記吸気空間と前記吸気溝と連通しており、前記排気空間の中には前記吸気空間と前記排気空間を隔てる片方向膜シートが設けられ、前記片方向膜シートの上端面には前記排気空間の上端壁と固定的に連結された第三バネが固定され、前記吸気空間の中には吸気機が固定され、前記吸気空間の中には前記吸気機の外側に位置する排気ブロックが固定され、前記吸気空間において前記吸気機から離れた端壁の中には外部と前記吸気空間とに連通している空気出し空間が設けられ、前記空気出し空間の中には左端が外部に位置するゴム栓が設けられ、前記空気出し空間と前記吸気空間が排気膜シートによって隔てられ、前記排気膜シートが前記排気ブロックの外側に位置し、前記排気膜シートにおいて前記排気ブロックに近接した端面には前記排気ブロックと固定された第四バネが固定されていることを特徴とする請求項２に記載の壊れやすい物用収縮固定装置。
【請求項４】
前記充填機構は前記作動空間の左右端壁の中に対称に設置された連通機構を含み、前記作動空間の左右端壁の中には前記エアバック空間の外側に位置する二つの空気入れ空間が対称に設けられ、前記空気入れ空間の下端壁の中には前記空気入れ空間と連通した空気充填空間が設けられ、前記空気充填空間の中には空気充填ファンが固定され、前記空気充填空間の後端壁の中には外部と前記空気充填空間とに連通した通気空間が設けられ、前記通気空間の中には通気ブロックが固定され、前記通気空間と前記空気充填空間が空気入れ片方向膜シートによって隔てられ、前記空気入れ片方向膜シートの後端面には前記通気ブロックの前端面と固定された第五バネが固定され、前記エアバック空間において前記作動空間から離れた端壁の中には前記エアバック空間に向いて開口した空気入れ溝が形成され、前記エアバック空間の中にはエアバック袋が設けられ、前記エアバック袋の中には前記空気入れ溝と連通したエアバック空間が設けられ、前記エアバック袋と前記作動空間から離れた端壁とには密封環が連結され、前記空気入れ溝の上端壁の中には外部と前記空気入れ溝とを連通した排気口が設けられていることを特徴とする請求項３に記載の壊れやすい物用収縮固定装置。
【請求項５】
前記連通機構は前記エアバック空間から離れた前記空気入れ溝の端壁の中に設置された空気入り空間を含み、前記空気入り空間が前記空気入れ溝と前記空気入れ空間とを連通しており、前記空気入り空間の中には前記空気入れ空間と前記空気入り空間を隔てる片方向膜板が設けられ、前記空気入り空間の中には前記片方向膜板の外側に位置する空気入れブロックが固定され、前記空気入れブロックにおいて前記片方向膜板に近接した端面には前記片方向膜板と固定的に連結された第六バネが固定され、前記空気入り空間の上端壁の中には下端の開口が前記空気入れ溝と連通したスライド空間が設けられ、前記スライド空間の前後端壁には仕切り板軸が回転できるように連結され、前記仕切り板軸には前記スライド空間とスライドできるように連結された仕切り板が固定され、前記仕切り板において前記排気口から離れた端面には前記スライド空間の下端壁と固定された第七バネが固定され、前記仕切り板の上端には下端が前記スライド空間の下端壁を貫通した引き紐が固定され、前記仕切り板の下端の左右端面にはゴムガスケットが固定され、前記引き紐の下端と前記押しブロックにおいて前記移動溝から離れた一端とが固定的に連結されていることを特徴とする請求項４に記載の壊れやすい物用収縮固定装置。
【請求項６】
前記第三バネと、前記第一バネと、前記第二バネと、前記第四バネと、前記第六バネと、前記第七バネと、前記第五バネとが緩み状態にあり、前記エアバック袋が収縮状態にあり、前記膜袋が緩み状態にあることを特徴とする請求項５に記載の壊れやすい物用収縮固定装置。
【請求項７】
前記プッシュブロックにおいて前記移動溝から離れた端面と、前記密封溝において前記移動溝から離れた端壁とが接触し、前記仕切り板が鉛直状態にあることを特徴とする請求項６に記載の壊れやすい物用収縮固定装置。
【請求項８】
前記ゴム栓と前記空気出し空間とが密封されるように係合し、前記ゴムガスケットが前記空気入り空間と前記空気入れ溝とを隔てており、前記密封ブロックが前記環状密封ブロックから離れた状態にあり、前記Ｓ磁石が前記Ｎ磁石と吸引でくっついているにあることを特徴とする請求項７に記載の壊れやすい物用収縮固定装置。
【請求項９】
前記固定ブロックは前記密封ブロックを固定していないことを特徴とする請求項１に記載の壊れやすい物用収縮固定装置。
【発明の詳細な説明】
【技術分野】
【０００１】
本願発明は壊れやすい物分野を取り上げて、具体的には壊れやすい物用収縮固定装置である。
【背景技術】
【０００２】
一部の壊れやすいものは輸送途中に破損しやすく、脆性の高いガラスや磁器などが何かしらの原因で輸送途中に破損することは多く、また、このような物が容器として、中に液体が貯蔵されていると、漏れ防止と湿気防止と防水の処理をする必要があり、不注意でこのような容器を壊した時、液体が外部に漏れ、損失をもたらし、従来の処理方法は一般的に箱をカスタマイズし、あるいは人工で充填物を入れることで、ぶつかりによる破損を防ぐが、湿気防止のために密封して輸送する壊れやすい物に対しては、特殊カスタマイズされた輸送箱が必要とされ、カスタマイズの時間と輸送コストとが増え、普及しにくいのである。
【先行技術文献】
【特許文献】
【０００３】
【特許文献１】中国特許出願公開第１０１９９０６０６号明細書
【発明の概要】
【発明が解決しようとする課題】
【０００４】
本願発明が解決したい技術問題は壊れやすい物用収縮固定装置を提供し、壊れやすい物の輸送コストが高い問題や、箱をカスタマイズすることが時間の浪費になる問題を解決することである。
【課題を解決するための手段】
【０００５】
上記の課題を解決するため、本願発明は以下の技術プランを採用する：本願発明の壊れやすい物用収縮固定装置は、殻を含み、前記殻の中には作動空間が設けられ、前記作動空間の中には締め付き機構が設けられ、前記作動空間の下端壁の中には二つの吸気空間が左右対称に設けられ、前記吸気空間の中には密封機構が設けられ、前記吸気空間の中には排気機構が設けられ、前記作動空間の左右端壁の中には二つのエアバッグ空間が対称に設けられ、前記エアバッグ空間の中には充填機構が設けられ、
前記締め付け機構は前記作動空間の前後端壁の中に左右対称に設置された四つのスライドレールを含み、前記スライドレールが前記作動空間に向いて開口しており、前記スライドレールの中にはスライドブロックがスライドできるように連結され、前記作動空間の中には密封ブロックが設けられ、前記密封ブロックの中には下方に開口した環状溝が形成され、前記環状溝の上端壁には環状ブロックが固定され、前記密封ブロックと前記スライドブロックとの間には固定ブロックが連結され、前記作動空間の中には膜袋が設けられ、前記膜袋の中には膜袋空間が設けられ、前記膜袋空間の中には前記殻の下端壁と固定的に連結されたスポンジが設けられ、前記スポンジの上端面に壊れやすい物を置くことができ、
壊れやすい物を輸送あるいは保存する時、前記固定ブロックを緩め、前記密封ブロックを取り出し、そして前記膜袋を取り出し、壊れやすい物を前記スポンジに置き、前記膜袋を壊れやすい物の表面に置き、壊れやすい物を前記膜袋空間の中に置き、前記締め付け機構によって前記膜袋を締め付け、前記密封機構で密封し、前記排気機構によって前記膜袋空間の中の空気を排出し、前記膜袋が収縮し壊れやすい物を固定し、壊れやすい物が固定された後前記充填機構によって前記作動空間の残りの空間を充填し、固定した壊れやすい物を保護する。
【０００６】
優選の技術プランとして、前記締め付け機構は前記作動空間の下端壁と固定された環状密封ブロックを含み、前記環状密封ブロックの中には密封溝が設けられ、前記作動空間の下端壁の中には上方に開口した吸気溝が形成され、前記吸気溝の下側の左端壁にはＮ磁石が固定され、前記作動空間の下端壁の中には上端が前記密封溝と連通した圧力空間が設けられ、前記圧力空間の中には押しブロックが設けられ、前記押しブロックの下端面には前記圧力空間の下端壁と固定的に連結された第一バネが固定され、前記圧力空間の左端壁の中には前記吸気溝と前記圧力空間とに連通した移動溝が設けられ、前記移動溝の中の上下端壁には固定ブロックが固定され、前記移動溝の中には左端が前記固定ブロックを貫通したスライドブロックが設けられ、前記スライドブロックにおいて表裏両端には円柱ピンが対称に且つ回転できるように連結され、前記スライドブロックには前記移動溝の上端壁とスライドできるように連結された移動ブロックが固定され、前記移動ブロックの左端面には前記固定ブロックの右端面と固定的に連結された第二バネが固定され、前記スライドブロックの外端の前記円柱ピンにはプッシュブロックが固定され、前記スライドブロックの内端の前記円柱ピンには仕切りブロックが固定され、前記仕切りブロックの下端にはＳ磁石が固定されている。
【０００７】
優選の技術プランとして、前記排気機構は前記吸気空間の上端壁の中に設置された排気空間を含み、前記排気空間が前記吸気空間と前記吸気溝と連通しており、前記排気空間の中には前記吸気空間と前記排気空間を隔てる片方向膜シートが設けられ、前記片方向膜シートの上端面には前記排気空間の上端壁と固定的に連結された第三バネが固定され、前記吸気空間の中には吸気機が固定され、前記吸気空間の中には前記吸気機の外側に位置する排気ブロックが固定され、前記吸気空間において前記吸気機から離れた端壁の中には外部と前記吸気空間とに連通している空気出し空間が設けられ、前記空気出し空間の中には左端が外部に位置するゴム栓が設けられ、前記空気出し空間と前記吸気空間が排気膜シートによって隔てられ、前記排気膜シートが前記排気ブロックの外側に位置し、前記排気膜シートにおいて前記排気ブロックに近接した端面には前記排気ブロックと固定された第四バネが固定されている。
【０００８】
優選の技術プランとして、前記充填機構は前記作動空間の左右端壁の中に対称に設置された連通機構を含み、前記作動空間の左右端壁の中には前記エアバック空間の外側に位置する二つの空気入れ空間が対称に設けられ、前記空気入れ空間の下端壁の中には前記空気入れ空間と連通した空気充填空間が設けられ、前記空気充填空間の中には空気充填ファンが固定され、前記空気充填空間の後端壁の中には外部と前記空気充填空間とに連通した通気空間が設けられ、前記通気空間の中には通気ブロックが固定され、前記通気空間と前記空気充填空間が空気入れ片方向膜シートによって隔てられ、前記空気入れ片方向膜シートの後端面には前記通気ブロックの前端面と固定された第五バネが固定され、前記エアバック空間において前記作動空間から離れた端壁の中には前記エアバック空間に向いて開口した空気入れ溝が形成され、前記エアバック空間の中にはエアバック袋が設けられ、前記エアバック袋の中には前記空気入れ溝と連通したエアバック空間が設けられ、前記エアバック袋と前記作動空間から離れた端壁とには密封環が連結され、前記空気入れ溝の上端壁の中には外部と前記空気入れ溝とを連通した排気口が設けられている。
【０００９】
優選の技術プランとして、前記連通機構は前記エアバック空間から離れた前記空気入れ溝の端壁の中に設置された空気入り空間を含み、前記空気入り空間が前記空気入れ溝と前記空気入れ空間とを連通しており、前記空気入り空間の中には前記空気入れ空間と前記空気入り空間を隔てる片方向膜板が設けられ、前記空気入り空間の中には前記片方向膜板の外側に位置する空気入れブロックが固定され、前記空気入れブロックにおいて前記片方向膜板に近接した端面には前記片方向膜板と固定的に連結された第六バネが固定され、前記空気入り空間の上端壁の中には下端の開口が前記空気入れ溝と連通したスライド空間が設けられ、前記スライド空間の前後端壁には仕切り板軸が回転できるように連結され、前記仕切り板軸には前記スライド空間とスライドできるように連結された仕切り板が固定され、前記仕切り板において前記排気口から離れた端面には前記スライド空間の下端壁と固定された第七バネが固定され、前記仕切り板の上端には下端が前記スライド空間の下端壁を貫通した引き紐が固定され、前記仕切り板の下端の左右端面にはゴムガスケットが固定され、前記引き紐の下端と前記押しブロックにおいて前記移動溝から離れた一端とが固定的に連結されている。
【００１０】
優選の技術プランとして、前記第三バネと、前記第一バネと、前記第二バネと、前記第四バネと、前記第六バネと、前記第七バネと、前記第五バネとが緩み状態にあり、前記エアバック袋が収縮状態にあり、前記膜袋が緩み状態にある。
【００１１】
優選の技術プランとして、前記プッシュブロックにおいて前記移動溝から離れた端面と、前記密封溝において前記移動溝から離れた端壁とが接触し、前記仕切り板が鉛直状態にある。
【００１２】
優選の技術プランとして、前記ゴム栓と前記空気出し空間とが密封されるように係合し、前記ゴムガスケットが前記空気入り空間と前記空気入れ溝とを隔てており、前記密封ブロックが前記環状密封ブロックから離れた状態にあり、前記Ｓ磁石が前記Ｎ磁石と吸引でくっついているにある。
【００１３】
優選の技術プランとして、前記固定ブロックは前記密封ブロックを固定していない。
【発明の効果】
【００１４】
本願発明は壊れやすい物を輸送する時、緩衝効果が良い一方、真空まで収縮でき、空気を遮断し、湿気の防止と防水に役立ち、万が一壊れやすい物の中の液体が漏れても、液体が外部へ漏れることを防止でき、無駄な損失を避け、輸送の質を向上させ、壊れやすい物の輸送コストが高い問題や、箱をカスタマイズすることが時間の浪費になる問題を解決する。
【図面の簡単な説明】
【００１５】
下記に図１〜８をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の壊れやすい物用収縮固定装置の全体断面の正面構成略図
【図２】図２は図１の上面図と部分断面略図
【図３】図３は図１のＡ―Ａ方向の略図
【図４】図４は図１のＢの拡大略図
【図５】図５は図１のＤの拡大略図
【図６】図６は図１のＤの拡大略図
【図７】図７は図１のＥ―Ｅ方向の略図
【図８】図８は図７のＦの拡大略図
【発明を実施するための形態】
【００１７】
図１〜８を参照し、本願発明の壊れやすい物用収縮固定装置は、殻１０を含み、前記殻１０の中には作動空間２１が設けられ、前記作動空間２１の中には締め付き機構８０が設けられ、前記作動空間２１の下端壁の中には二つの吸気空間１３が左右対称に設けられ、前記吸気空間１３の中には密封機構３０が設けられ、前記吸気空間１３の中には排気機構２２が設けられ、前記作動空間２１の左右端壁の中には二つのエアバッグ空間１９が対称に設けられ、前記エアバッグ空間１９の中には充填機構６０が設けられ、前記締め付け機構８０は前記作動空間２１の前後端壁の中に左右対称に設置された四つのスライドレール２０を含み、前記スライドレール２０が前記作動空間２１に向いて開口しており、前記スライドレール２０の中にはスライドブロック２９がスライドできるように連結され、前記作動空間２１の中には密封ブロック１６が設けられ、前記密封ブロック１６の中には下方に開口した環状溝２８が形成され、前記環状溝２８の上端壁には環状ブロック２７が固定され、前記密封ブロック１６と前記スライドブロック２９との間には固定ブロック１７が連結され、前記作動空間２１の中には膜袋１４が設けられ、前記膜袋１４の中には膜袋空間１１が設けられ、前記膜袋空間１１の中には前記殻１０の下端壁と固定的に連結されたスポンジ１２が設けられ、前記スポンジ１２の上端面に壊れやすい物を置くことができ、壊れやすい物を輸送あるいは保存する時、前記固定ブロック１７を緩め、前記密封ブロック１６を取り出し、そして前記膜袋１４を取り出し、壊れやすい物を前記スポンジ１２に置き、前記膜袋１４を壊れやすい物の表面に置き、壊れやすい物を前記膜袋空間１１の中に置き、前記締め付け機構８０によって前記膜袋１４を締め付け、前記密封機構３０で密封し、前記排気機構２２によって前記膜袋空間１１の中の空気を排出し、前記膜袋１４が収縮し壊れやすい物を固定し、壊れやすい物が固定された後前記充填機構６０によって前記作動空間２１の残りの空間を充填し、固定した壊れやすい物を保護する。
【００１８】
有益に、前記締め付け機構８０は前記作動空間２１の下端壁と固定された環状密封ブロック２４を含み、前記環状密封ブロック２４の中には密封溝２３が設けられ、前記作動空間２１の下端壁の中には上方に開口した吸気溝４３が形成され、前記吸気溝４３の下側の左端壁にはＮ磁石４１が固定され、前記作動空間２１の下端壁の中には上端が前記密封溝２３と連通した圧力空間３５が設けられ、前記圧力空間３５の中には押しブロック３７が設けられ、前記押しブロック３７の下端面には前記圧力空間３５の下端壁と固定的に連結された第一バネ３３が固定され、前記圧力空間３５の左端壁の中には前記吸気溝４３と前記圧力空間３５とに連通した移動溝４６が設けられ、前記移動溝４６の中の上下端壁には固定ブロック４７が固定され、前記移動溝４６の中には左端が前記固定ブロック４７を貫通したスライドブロック３９が設けられ、前記スライドブロック３９において表裏両端には円柱ピン４９が対称に且つ回転できるように連結され、前記スライドブロック３９には前記移動溝４６の上端壁とスライドできるように連結された移動ブロック４８が固定され、前記移動ブロック４８の左端面には前記固定ブロック４７の右端面と固定的に連結された第二バネ４５が固定され、前記スライドブロック３９の外端の前記円柱ピン４９にはプッシュブロック３８が固定され、前記スライドブロック３９の内端の前記円柱ピン４９には仕切りブロック４４が固定され、前記仕切りブロック４４の下端にはＳ磁石４０が固定されている。
【００１９】
有益に、前記排気機構２２は前記吸気空間１３の上端壁の中に設置された排気空間４２を含み、前記排気空間４２が前記吸気空間１３と前記吸気溝４３と連通しており、前記排気空間４２の中には前記吸気空間１３と前記排気空間４２を隔てる片方向膜シート３１が設けられ、前記片方向膜シート３１の上端面には前記排気空間４２の上端壁と固定的に連結された第三バネが固定され、前記吸気空間１３の中には吸気機５６が固定され、前記吸気空間１３の中には前記吸気機５６の外側に位置する排気ブロック５７が固定され、前記吸気空間１３において前記吸気機５６から離れた端壁の中には外部と前記吸気空間１３とに連通している空気出し空間５３が設けられ、前記空気出し空間５３の中には左端が外部に位置するゴム栓５４が設けられ、前記空気出し空間５３と前記吸気空間１３が排気膜シート５２によって隔てられ、前記排気膜シート５２が前記排気ブロック５７の外側に位置し、前記排気膜シート５２において前記排気ブロック５７に近接した端面には前記排気ブロック５７と固定された第四バネ５１が固定されている。
【００２０】
有益に、前記充填機構６０は前記作動空間２１の左右端壁の中に対称に設置された連通機構２６を含み、前記作動空間２１の左右端壁の中には前記エアバック空間１９の外側に位置する二つの空気入れ空間１５が対称に設けられ、前記空気入れ空間１５の下端壁の中には前記空気入れ空間１５と連通した空気充填空間２５が設けられ、前記空気充填空間２５の中には空気充填ファン８１が固定され、前記空気充填空間２５の後端壁の中には外部と前記空気充填空間２５とに連通した通気空間８３が設けられ、前記通気空間８３の中には通気ブロック８５が固定され、前記通気空間８３と前記空気充填空間２５が空気入れ片方向膜シート８２によって隔てられ、前記空気入れ片方向膜シート８２の後端面には前記通気ブロック８５の前端面と固定された第五バネ８４が固定され、前記エアバック空間１９において前記作動空間２１から離れた端壁の中には前記エアバック空間１９に向いて開口した空気入れ溝７２が形成され、前記エアバック空間１９の中にはエアバック袋７０が設けられ、前記エアバック袋７０の中には前記空気入れ溝７２と連通したエアバック空間７１が設けられ、前記エアバック袋７０と前記作動空間２１から離れた端壁とには密封環６９が連結され、前記空気入れ溝７２の上端壁の中には外部と前記空気入れ溝７２とを連通した排気口１８が設けられている。
【００２１】
有益に、前記連通機構２６は前記エアバック空間１９から離れた前記空気入れ溝７２の端壁の中に設置された空気入り空間６４を含み、前記空気入り空間６４が前記空気入れ溝７２と前記空気入れ空間１５とを連通しており、前記空気入り空間６４の中には前記空気入れ空間１５と前記空気入り空間６４を隔てる片方向膜板６３が設けられ、前記空気入り空間６４の中には前記片方向膜板６３の外側に位置する空気入れブロック６２が固定され、前記空気入れブロック６２において前記片方向膜板６３に近接した端面には前記片方向膜板６３と固定的に連結された第六バネ６１が固定され、前記空気入り空間６４の上端壁の中には下端の開口が前記空気入れ溝７２と連通したスライド空間７３が設けられ、前記スライド空間７３の前後端壁には仕切り板軸６７が回転できるように連結され、前記仕切り板軸６７には前記スライド空間７３とスライドできるように連結された仕切り板６６が固定され、前記仕切り板６６において前記排気口１８から離れた端面には前記スライド空間７３の下端壁と固定された第七バネ６５が固定され、前記仕切り板６６の上端には下端が前記スライド空間７３の下端壁を貫通した引き紐３６が固定され、前記仕切り板６６の下端の左右端面にはゴムガスケット６８が固定され、前記引き紐３６の下端と前記押しブロック３７において前記移動溝４６から離れた一端とが固定的に連結されている。
【００２２】
有益に、前記第三バネと、前記第一バネ３３と、前記第二バネ４５と、前記第四バネ５１と、前記第六バネ６１と、前記第七バネ６５と、前記第五バネ８４とが緩み状態にあり、前記エアバック袋７０が収縮状態にあり、前記膜袋１４が緩み状態にある。
【００２３】
有益に、前記プッシュブロック３８において前記移動溝４６から離れた端面と、前記密封溝２３において前記移動溝４６から離れた端壁とが接触し、前記仕切り板６６が鉛直状態にある。
【００２４】
有益に、前記ゴム栓５４と前記空気出し空間５３とが密封されるように係合し、前記ゴムガスケット６８が前記空気入り空間６４と前記空気入れ溝７２とを隔てており、前記密封ブロック１６が前記環状密封ブロック２４から離れた状態にあり、前記Ｓ磁石４０が前記Ｎ磁石４１と吸引でくっついているにある。
【００２５】
有益に、前記固定ブロック１７は前記密封ブロック１６を固定していない。
【００２６】
本願発明装置全体の機械作動順序は以下の通り：
（１）使用者が使用する時、手動で固定ブロック１７を開け、密封ブロック１６をスライドレール２０に沿って作動空間２１から離れさせ、そして作動空間２１の中の膜袋１４を取り出し、壊れやすい物をスポンジ１２に置いた後、膜ブロク１４を壊れやすい物に置き、壊れやすい物を膜袋空間１１の中に置き、膜袋１４の下側の縁部を環状密封ブロック２４の外側に位置させ、手動で密封ブロック１６をスライドレール２０に沿って作動空間２１の中に入れ、密封ブロック１６が下方へ運動し環状密封ブロック２４の上方に至った時、環状溝２８を環状密封ブロック２４と位置合わせ、これによって環状ブロック２７を密封溝２３と位置合わせ、密封ブロック１６を下へ押し、密封ブロック２４を環状溝２８と係合させ、環状ブロック２７に膜袋１４の下側の縁部を密封溝２３の中に押させ、これによって膜袋１４を環状密封ブロック２４に締め付け、これによって膜袋空間１１と作動空間２１を隔て、環状ブロック２７が密封溝２３の中に入った時、プッシュブロック３８を、スライドブロック３９の外端の円柱ピン４９を回って下方へ押し動かし、これによってプッシュブロック３８が下方に運動する時スライドブロック３９を外へ引きスライドさせ、これによって移動ブロック４８が第二バネ４５を圧縮させ、これによってスライドブロック３９の内端の円柱ピン４９が仕切りブロック４４を上方へ運動させ、これによって仕切り板４４の下端のＳ磁石４０を上方へ運動連動させてＮ磁石４１とくっついている状態から離脱させ、これによって吸気溝４３と排気空間４２とを連通し、プッシュブロック３８が下方へ運動する時に押しブロック３７を下方へ押し、押しブロック３７が第一バネ３３を下方へ圧縮し、これによって引き紐３６が下方へ引かれ、これによって引き紐３６の上端が仕切り板６６を引き動かし、仕切り板６６が仕切り板軸６７を回って回転し、これによって仕切り板６６が第七バネ６５を下方へ圧縮し、これによってゴムガスケット６８を駆動し上方へ回転させ、空気入り空間６４をエアバック空間７１と連通し、押しブロック３７が引き紐３６を一番下に引いた時、仕切り板６６がゴムガスケット６８を駆動し、ゴムガスケット６８が仕切り板軸６７を回って上方へ水平位置まで回転し、ゴムガスケット６８を排気口１８の中に押し、密封を完成する。
（２）密封ブロック１６が膜袋１４を環状密封ブロック２４に締め付けた後、固定ブロック１７に密封ブロック１６を固定させ、手動でゴム栓５４を抜き出し、二つの吸気機５６を起動し、これによって膜袋空間１１の中の空気を、吸気溝４３と、排気空間４２と、片方向膜シート３１とを経由して吸気空間１３の中に吸い込み、これによって吸気空間１３に入った気体を排気ブロック５７と５２とによって外部まで排出し、これによって膜袋空間１１の中の気体を排出し、これによって膜袋１４が収縮し壊れやすい物を固定し、壊れやすい物が固定された後、吸気機５６を止め、ゴム栓５４を元の位置に入れ、これによって空気出し空間５３を外部から隔て、空気充填ファン８１を起動し、空気充填空間２５の中の気圧を下げ、これによって外部の空気が通気ブロック８５から通気空間８３の中に入り、これによって片方向膜シート８２が第五バネ８４を引き動かし、通気空間８３が空気充填空間２５と連通し、これによって空気が空気充填空間２５から空気入れ空間１５の中に入り、空気入れブロック６２と片方向膜板６３とを経由しエアバック空間７１の中に入り、これによって二つのエアバック袋７０に空気が充填され、エアバック袋７０を作動空間２１の中に入れて作動空間２１の中の残りの空間を充填し、エアバック袋７０が作動空間２１の中の残りの空間を充填し終わった時、空気充填ファン８１を止め、本願発明装置を封じて保存しまたは輸送する。
【００２７】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本願発明は壊れやすい物用収縮固定装置を開示した。
【解決手段】
殻を含み、前記殻の中には作動空間が設けられ、前記作動空間の中には締め付き機構が設けられ、前記作動空間の下端壁の中には二つの吸気空間が左右対称に設けられ、前記吸気空間の中には密封機構が設けられ、前記吸気空間の中には排気機構が設けられ、前記作動空間の左右端壁の中には二つのエアバッグ空間が対称に設けられ、前記エアバッグ空間の中には充填機構が設けられ、前記締め付け機構は前記作動空間の前後端壁の中に左右対称に設置された四つのスライドレールを含み、前記スライドレールが前記作動空間に向いて開口しており、前記スライドレールの中にはスライドブロックがスライドできるように連結され、前記作動空間の中には密封ブロックが設けられ、前記密封ブロックの中には下方に開口した環状溝が形成され、前記環状溝の上端壁には環状ブロックが固定されている。
【選択図】図１【図１】
0006764053.tif 000002
【図２】
0006764053.tif 000003
【図３】
0006764053.tif 000004
【図４】
0006764053.tif 000005
【図５】
0006764053.tif 000006
【図６】
0006764053.tif 000007
【図７】
0006764053.tif 000008
【図８】
0006764053.tif 000009